(57)【要約】【課題】本発明の実施形態が解決しようとする課題は、無線通信効率を向上した照明器具を提供することである。【解決手段】本発明の実施形態である照明器具は、光源部と、前記光源部に電力を供給する電源装置と、前記電源装置を収納可能であり、複数の面を有するよう薄板状の金属を曲折して形成された電源筐体と、前記電源筐体内部に設けられて無線信号の送受信を行う無線送受信部と、前記薄板状の金属を曲折した際に生じる前記無線信号の振幅より長く形成された孔であるスリット部と、を有する。【選択図】図１
2018174024.tif 000002
【特許請求の範囲】
【請求項１】
光源部と；
前記光源部に電力を供給する電源装置と；
前記電源装置を収納可能であり、複数の面を有するよう薄板状の金属を曲折して形成された電源筐体と；
前記電源筐体内部に設けられて無線信号の送受信を行う無線送受信部と；
前記薄板状の金属を曲折した際に生じる前記無線信号の振幅より長く形成されたスリット部と；
を有することを特徴とする照明器具。
【請求項２】
前記スリット部は、前記無線信号の波面と直交しない方向に設けられることを特徴とする請求項１に記載の照明器具。
【請求項３】
前記スリット部は、前記光源部と対向する面と垂直な方向に設けられる請求項２に記載の照明器具。
【発明の詳細な説明】
【技術分野】
【０００１】
本発明は、無線送受信部を備えた照明器具に関する。
【背景技術】
【０００２】
従来、倉庫や体育館などの天井に取付けられる、LED等の発光素子を用いた発光モジュールを備えた照明器具が知られている。
【０００３】
このような器具は、外気からの熱影響やボール等の衝突を受けやすく、高所に設置されるためメンテナンスを頻繁に行うことが難しい。そのため、器具の構成部品は器具外部からの影響を受けにくいことが求められている。
【０００４】
また従来、室内照明では無線信号を受信する受信部および無線信号に応じた制御信号を出力する制御部を有する制御装置を備えた照明器具が知られている。無線信号対応の制御装置は金属製の筐体などの遮蔽物で覆われると無線信号の送受信を行い難くなることが知られている。
【０００５】
このような制御装置を備えた照明器具では、無線信号の受信および出力を妨げ難く効率のよい無線通信性能が求められている。
【先行技術文献】
【特許文献】
【０００６】
【特許文献１】特開２０１６−１６２７０６号公報
【特許文献２】特開２０１７−１０８４８号公報
【発明の概要】
【発明が解決しようとする課題】
【０００７】
本発明の実施形態が解決しようとする課題は、メンテナンス性と無線通信効率のよい照明器具を提供することである。
【課題を解決するための手段】
【０００８】
本発明の実施形態である照明器具は、光源部と、前記光源部に電力を供給する電源装置と、前記電源装置を収納可能であり、複数の面を有するよう薄板状の金属を曲折して形成された電源筐体と、前記電源筐体内部に設けられて無線信号の送受信を行う無線送受信部と、前記薄板状の金属を曲折した際に生じる前記無線信号の振幅より長く形成された孔であるスリット部と、を有する。
【発明の効果】
【０００９】
本発明の実施形態によれば、無線通信効率のよい照明器具を提供できる。
【図面の簡単な説明】
【００１０】
【図１】本発明の実施形態における照明器具の一例を示す斜視図である。
【図２】本発明の実施形態における照明器具の一例を示す上面図である。
【図３】本発明の実施形態における照明器具の一例について、無線信号の送信方向を示した図である。
【図４】本発明の実施形態における無線送受信部およびエリアコントローラにおける無線信号の電波状態および送受信を行いやすい配置を示した模式図である。
【図５】本発明の実施形態における照明器具の一部を示す回路図である。
【図６】本発明の実施形態における照明器具を用いた照明システムを模式的に表した説明図である。
【図７】本発明の実施形態における照明器具の変形例の電源筐体を示す斜視図および展開図である。
【発明を実施するための形態】
【００１１】
以下、本発明における実施形態の構成を、図１ないし図７を参照して説明する。なお、本発明の実施形態である照明器具1の説明について、発光面側を前面側、天井等の設置場所に取付けられる側を背面側として説明を行う。
【００１２】
図１および図２に示す本発明の実施形態である照明器具1は、光源部3と、放熱器4と、取付板11と、アーム2と、電源筐体5とを有する。
【００１３】
放熱器4は放熱ベース41と放熱フィン42を有し、放熱ベース41の前面側に光源部3が伝熱性を有するように接続される。また、取付板11は、4本の脚部111と脚部111の背面側に接続される水平部112と、水平部112の一対の側面を背面側に延伸して突出させた取付部113を有する。取付板11の前面側は、ネジ止めなどにより放熱ベース41に接続され、取付部113はネジ止めなどによりアーム2と接続される。アーム2は、略コの字状に形成される。またアーム2は、取付部113と接続して照明器具1の背面方向に延伸する垂下部21と、天井等の設置場所にネジ止めなどにより取付けられる設置部22を有する。また、電源筐体5は、水平部112の背面に配設される。また、電源筐体5は、一対の垂下部21の間かつ設置部22と離間して設置部22より前面側に配設される。電源筐体5の内部には、光源部3に電力を供給して点灯制御を行う電源装置53と、無線信号の送受信を行う無線送受信部51が設けられ、電源筐体5の隣り合う面と面の間に貫通して設けられたスリット部56を介して無線信号の送受信を行う。
【００１４】
次に、本発明の実施形態における照明器具1の各構成について説明する。
【００１５】
光源部3は、LED（Light Emitting Diode）などの発光素子31が複数配設された基板と、基板の前面側を覆う透光性カバーからなる。
【００１６】
光源部3の背面側には、光源部3から発生した熱を放熱するための放熱ベース41が伝熱性を有するように接続して設けられる。光源部3は、発光素子31が配設された略矩形の基板と、その基板の前面を覆う透光性のカバーからなる。外部電源eから電源装置53を通じて電力供給を行うケーブルと電気的に接続されることにより、発光素子31は発光するための電力を得る。また、光源部3の基板と放熱ベース41は、ネジ止めなどにより接続される。
【００１７】
放熱器4は、アルミニウムなど放熱性に優れた金属で形成される。また放熱器4は、略矩形板状の放熱ベース41と略長方形の薄板状である放熱フィン42を備える。放熱ベース41は、光源部3と略平行に光源部3の背面側に接続され、放熱フィン42は、放熱ベース41の背面側に、略直角に複数枚突出するように並列配置される。また、放熱フィン42は長辺と短辺を有する。放熱フィン42は、一方の長辺を放熱ベース41の背面側に接続される。放熱フィン42の他方の長辺は水平部112と離間して配設される。
【００１８】
また、放熱ベース41の中央付近には、ケーブル（不図示）を通すための孔である中央孔（不図示）が設けられる。
【００１９】
さらに、放熱ベース41の中央孔付近には、ケーブルの位置を定めて支持するため、略L字状のケーブル支えフィン（不図示）が本体背面側に突出するように設けられる。
【００２０】
また、図１および図２に示す実施形態では、金属製の取付板11が放熱ベース41の側面にネジ止めなどにより接続される。取付板11は、放熱ベース41の角部である四隅に対応する位置に、四本の脚部111を有する。また、取付板11は四本の脚部111に接続して背面側に配設される放熱ベース41に略平行な板状の水平部112を有する。水平部112は、放熱ベース41と略平行に設けられる。
【００２１】
すなわち、照明器具1において取付部113の備えられた側の側面と取付部113の備えられていない側の側面から見た際、どちらにおいても取付板11と放熱ベース41の側面は略矩形の開口をなす。
【００２２】
また、水平部112の中央付近には、光源部3へ電気的に接続されるケーブルを通すためのケーブル孔55が設けられる。
【００２３】
アーム2は、薄板状の鉄やアルミニウムといった金属製部材によって形成される。また、アーム2は、垂下部21の前面側付近である取付部113との接続部には、ネジ止めなどにより器具を固定するためのネジ孔および照明器具の角度を調整して固定するための略円弧状の長孔が設けられている。また、取付部113には、それらのネジ孔および長孔と対応する位置にネジ孔が設けられている。
【００２４】
アーム2は、設置部22が天井等に取付けられることで照明器具全体の重量を支持する。アーム2は、設置部22の縁部が前面側に曲折され、強度を高める構造となっている。また、設置部22は器具の設置場所である天井等にネジ止め等で設置するための孔が複数設けられている。
【００２５】
次に、電源筐体5および電源筐体5の内部構成について説明する。
【００２６】
図１および図２に示す実施形態では、水平部112の背面側には、アルミニウムなど軽量で放熱性に優れた金属で形成された略直方体形状の電源筐体5が設けられる。
【００２７】
電源筐体5前面の開口は、水平部112によって覆うようにして設けられ、電源筐体5の側面から一部延伸させた電源筐体延伸部50を水平部112に略平行となるよう曲折し、水平部112にネジ止めなどにより固定する。
【００２８】
電源筐体5は、薄板状の金属を曲折して略直方体形状に形成される。このとき、薄板状の金属を曲折した際に隣り合う面と面の間に電源筐体5の内部と外部を連通するスリット部56が生じるように形成される。
【００２９】
スリット部56は、後述する無線信号を電源筐体5から外部へ送受信可能な隙間として設けられる。設けられるスリット部56の少なくとも一つは、無線送受信部51から送信された無線信号が直接あるいは電源筐体5内で反射して電源筐体5の外部へ送信可能な長さと方向に設けられる。
【００３０】
次に、図３を参照して無線信号および無線送受信部51について説明する。
【００３１】
無線信号は一定の方向に振動する偏波であり、無線送受信部51を水平部112に対して平行に配設するか直角に配設するかにより、送受信する無線信号が水平方向に振動する水平偏波となるか、前面方向と背面方向に振動する垂直偏波となるかが決定する。
【００３２】
よって、無線信号が水平偏波となる場合は水平部112に対して平行な辺にスリット部56を設け、無線信号が垂直偏波となる場合は図１に示すように、光源部3と対向する面である水平部112に対して垂直な面の間に形成されるスリット部56を設けることにより、無線信号を電源筐体から外部へ効率よく送信可能となる。つまり、スリット部56は、無線信号の波面に直交しない方向に設けられることにより効率のよい無線信号の送受信を可能とする。
【００３３】
同様に、照明器具1外部からの無線を受信するとき、照明器具1と略同一平面となる天井面に、後述の端末機Tからの無線通信を仲介して照明器具1との無線送受信を行う後述のエリアコントローラECが備えられている場合が考えられる。このときエリアコントローラECに備えられた無線送受信部からの無線信号の方向に合わせてスリット部56を形成する。これにより、スリット部56を介しての無線送受信部51による無線信号の受信が可能となる。
【００３４】
次に、エリアコントローラについて説明する。
【００３５】
無線送受信部51は、図４に示すように、水平に配設された際、水平部112と平行な一対の面方向（前面および背面方向）へ、略凸レンズ状に無線信号を発信あるいは受信するよう形成される。また、図５に示すようにエリアコントローラECは天井などに水平に設置され、無線信号によって図５に示すように端末機Tと無線送受信部51を仲介する。
【００３６】
エリアコントローラECは、本実施形態の無線送受信部51と同様の無線送受信部を備える。そのため、図４に示すように、天井面等に設置されたエリアコントローラECと本発明の実施形態に備えられる無線送受信部51は、互いに水平な位置に設けられることが望ましい。そのため、無線送受信部51は、電源筐体5の前面あるいは背面に設けられることが望ましい。
【００３７】
したがって、スリット部56を設けることにより金属製の電源筐体5の内部に設けられた無線送受信部からの無線の送受信が可能となる。
【００３８】
これにより、無線送受信部51を外部に露出することなく金属製の電源筐体5の内部に設けることが可能となるため、無線送受信部51がボール等外部からの衝撃に曝されず、メンテナンス性が高まる。また、薄板状の金属を曲折した際に生じる隙間をスリット部56として無線信号の送受信を行うため、電源筐体5に余分な開口や付属部材を設けずとも無線信号の送受信が可能となり、部材数削減につながり組立効率が高まるとともに、照明器具1の意匠性の低下を抑制する。また、電源装置53からの熱をスリット部56から発散させることもできるため、熱による照明効率低下を防ぐことが可能である。
【００３９】
また、スリット部56が光源部3と対向する面である水平部112に直交する面の間に設けられることにより、埃が侵入し難く、メンテナンス性が向上する。
【００４０】
スリット部56は、電源筐体5の複数の面の間に形成され、展開された薄板状の金属を曲折して電源筐体5を形成した際に生じる孔を指す。スリット部56の長さは、必ずしも電源筐体5のいずれかの辺の全長として形成せずともよく、電源筐体5の面の一部を延伸させてスリット部の一部を塞ぎ、電源筐体5の強度向上や塵埃対策を図ってもよい。
【００４１】
変形例としては、電源筐体5の側面に設けられる水平部112に垂直な4辺と、電源筐体5の前面側開口部を形成する水平部112と平行な4辺がスリット部56として形成される。このとき、水平部112と平行な4辺は、固定部50と水平部112の間に座金などをかませることによりスリット部56を形成することにより、多方向への無線信号の送受信を行いやすく、放熱性も高めることが可能となる。
【００４２】
また、スリット部56は、図１に示す実施形態に置いては電源筐体5の４つの側面の間にある4つの辺全てにスリット部56が設けられている。無線送受信部51からの無線信号は、図４に示すように一定の方向に送受信されやすい領域が生じる。そのため、複数のスリット部56が複数の方向にそれぞれ設けられていることにより無線信号を一定の方向に送信あるいは受信しやすくなり、無線送受信部51による無線信号の送受信効率が向上する。
【００４３】
スリット部56は、無線送受信部51から、無線信号の波長の1/4の整数倍の距離に設けられる。無線信号は波長の1/4の整数倍となる距離に金属などの遮蔽部材が存在すると、遮蔽部材に反射した逆位相の波によって本来の無線信号の波を打ち消しあってしまう。
【００４４】
しかし無線信号の波長の1/4の整数倍の距離にスリット部56が形成されることにより、無線送受信部51から送信された無線信号は、金属製の電源筐体5内で反射して波長を打ち消しあうことなくスリット部56を介して外部へ出ることが可能となる。
【００４５】
なお、電源筐体5は一枚の薄板状の金属から形成されてもよいし、複数の薄板状金属を曲折させたものを組み合わせて形成されたものであってもよい。
【００４６】
また、上述の無線送受信部51から発信される無線信号に合わせた方向に形成されるのは水平部112に垂直な4辺ないし水平部112に平行な4辺のいずれか1辺でよい。他の７辺は、電源筐体5の内部で反射することにより多方向へ向かう無線信号を外部へ通す役割を果たし、より広範囲での無線信号の送受信が可能となる。
【００４７】
また変形例として、図７に示すように、電源筐体5は前面および背面が略円形となる円柱状の筐体でもよい。その場合、電源筐体5内部の中央付近に無線送受信部51が設けられ、前面と側面の間、背面と側面の間にいくつかのスリット部56が設けられる。この構造によれば、無線送受信部51からの水平偏波を360度近く電源筐体5の外部へ送信可能となり、電源筐体5の外部からの無線信号を広範囲にわたり受信可能となる。これにより、無線送受信効率の向上が見込める。
【００４８】
また、他の変形例として、電源筐体5は一対の側面が多角形となる多角柱状の筐体であってもよい。その場合、多角形を形成する辺の一部をスリット部56とすることにより、水平方向や垂直方向のみでない方向へ無線信号を強く送信する設計が可能となり、器具の意匠性が高まるとともに器具を設置する位置などが、より多様な空間設計に対応できるようになる。
【００４９】
さらに、他の変形例として、複数のスリット部56へ無線信号を送信することにより無線信号の波に回折を生じさせ、後述のエリアコントローラECや端末機Tのような本発明の実施形態である器具と無線信号の送信あるいは受信を行う装置に向かう方向に無線信号の波が強め合うようにしてもよい。その場合、無線信号の指向性が高まり、より遠距離に存在する装置とも無線信号の送受信が可能となる。
【００５０】
また、スリット部56を通じて電源筐体の外部へ送信される無線信号を強めるため、電源筐体5内部がスリバチ状に形成され、パラボラアンテナの要領によりスリット部56がその焦点となるよう形成されることで無線信号の指向性を強めてもよい。
【００５１】
また、電源筐体5に複数のスリット部56を設ける場合、設けられる方向の異なるスリット部56を組み合わせることにより幾何学模様のように配設し、送受信できる無線信号の方向を増やすことで無線送受信効率を高めるとともに、意匠性を高めて器具の美観を向上させてもよい。
【００５２】
次に、図５および図６を参照して電源筐体5の内部構成について説明する。
【００５３】
電源筐体5の内部には、外部電源eと接続して光源部3の点灯制御を行う電源装置53が設けられる。また同様に、外部からの無線信号の受信や無線信号の送信を行う無線送受信部51が設けられる。さらに、無線送受信部51の受信した信号を変換して電源装置53に出力する無線制御部52が配設される。この無線制御部52は、例えばネジ止めなどにより、電源筐体5の内部に取付けられる。このとき、無線制御部52の取り付けられる位置は電源筐体5に覆われる位置であればよく、電源筐体5内部の前面、背面および側面のいずれに配設されてもよい。望ましい形態としては、無線制御部52が無線送受信部51の近傍に配設されることで無線制御部52および無線送受信部51との配線が簡略化されるため、部材の削減や組立性の向上が見込める。この無線制御部52は、例えば図３に示すように、電源である外部電源eに対して接続された例えばダイオードブリッジなどの整流素子（全波整流素子）REC、電解コンデンサなどの図示しない平滑素子、トランスTr、FETなどのスイッチ素子Q、制御回路521、および整流平滑回路522などを備える。
【００５４】
また、図２に示すように無線送受信部51は、電源端子54と離間して、電源端子54が備えられた側面と対向する側面寄りの位置に配設される。具体的には、背面から見て、無線送受信部51と電源端子54との間に、無線制御部52あるいは電源装置53あるいはその両方が設けられる。
【００５５】
このように電源筐体5内部において、電源端子54と無線送受信部51を離間させて配置することにより、無線送受信部51は電磁波の影響を受けにくくなるため、送受信する信号のノイズ影響を低減できる。
【００５６】
図６に示す電源装置53は、光源部3と接続され、無線送受信部51により受信した無線信号に応じて無線制御部52により動作が制御されて光源部3を調光点灯するように構成されている。
【００５７】
このとき、水平部112の中央部にはケーブル孔55が空いているため、無線送受信部51より前面側へ発信される無線信号の送受信が行いやすい。
【００５８】
また、アーム2の垂下部21の側面側から見て垂下部21と重ならない位置に無線送受信部51が設けられることにより、無線送受信部51が送受信する無線信号を金属製のアーム2に遮蔽されない分、広範囲に発信することができる。そのため、照明器具の無線制御効率が向上する。
【００５９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等に含まれる。
【符号の説明】
【００６０】
1…本体
11…取付板
111…脚部
112…水平部
113…取付部
2…アーム
21…垂下部
22…設置部
3…光源部
31…発光素子
4…放熱器
41…放熱ベース
42…放熱フィン
5…電源筐体
50…電源筐体延伸部
51…無線送受信部
52…無線制御部
521…制御回路
522…整流平滑回路
53…電源装置
54…電源用端子
55…ケーブル孔
56…スリット部
【図１】
2018174024.tif 000003
【図２】
2018174024.tif 000004
【図３】
2018174024.tif 000005
【図４】
2018174024.tif 000006
【図５】
2018174024.tif 000007
【図６】
2018174024.tif 000008
【図７】
2018174024.tif 000009